(57)【特許請求の範囲】
【請求項１】
冷蔵庫の収納室内における所定の収納空間を区画してその収納空間に収納された収納物を支持する支持部材を、所定の収納空間を区画する支持位置と収納室の壁面に沿う退避位置との間で回転可能に配設した冷蔵庫の収納装置において、
前記収容室は、上面が開口し、側壁が上面側で広く傾斜形成された引き出し式であり、
前記支持部材を、両端部をクランク状に屈曲したワイヤにて構成し、その両端部を前記収容室の前部で対向する側壁に設けた軸受部で回転自在に支持し、前記ワイヤの屈曲された部分が前記収容室の側壁傾斜面と平行になるように先広がりに傾斜形成したことを特徴とする冷蔵庫の収納装置。
【請求項２】
支持部材を支持位置で位置決めする手段が、支持部材の端部が係合して支持部材が支持位置を越えて回転するのを阻止する係合段部と、支持部材が支持位置にある状態で支持部材の端部に退避位置側から係合して支持部材が不測に退避位置側に回転するのを規制するとともに一定以上の力で支持部材を回転操作したときに係合が外れる規制突部とを設けた受け部材から成ることを特徴とする請求項１記載の冷蔵庫の収納装置。
【請求項３】
支持部材を退避位置で位置決めする手段が、支持部材が退避位置にある状態で支持部材の端部に支持位置側から係合して支持部材が不測に支持位置側に回転するのを規制するとともに一定以上の力で支持部材を回転操作したときに係合が外れる係合突部を設けた止め部材から成ることを特徴とする請求項１記載の冷蔵庫の収納装置。
【請求項４】
支持部材に、その長手方向に摺動可能にかつ支持部材の回転面と同一面上で回転可能に支持部材の長手方向に対して垂直方向に長い仕切具を装着したことを特徴とする請求項１記載の冷蔵庫の収納装置。
【請求項５】
仕切具を、支持部材に装着される保持部材と支持部材の長手方向に対して垂直な軸芯まわりに回転可能に保持部材に装着された扁平な仕切部材にて構成したことを特徴とする請求項４記載の冷蔵庫の収納装置。
【請求項６】
保持部材に支持部材の長手方向に対して垂直に保持筒部を突設し、仕切部材の基部に保持筒部内に嵌合される結合軸部を突設し、保持筒部と結合軸部の間にその軸芯方向に係合する係合突部と係合溝から成る抜け止め手段を設けたことを特徴とする請求項５記載の冷蔵庫の収納装置。
【請求項７】
保持筒部と結合軸部の嵌合部の少なくとも一部に静合に近い滑合状態の回転制動部を設けたことを特徴とする請求項６記載の冷蔵庫の収納装置。
【請求項８】
仕切具の少なくとも一部を、収納空間内の色彩と異なる色彩としたことを特徴とする請求項４記載の冷蔵庫の収納装置。
【発明の詳細な説明】
【０００１】
【発明の属する技術分野】
本発明は電気冷蔵庫における収納装置に関し、特に収納室の収納空間を区画して収納物を支持する支持部材を備えた冷蔵庫の収納装置に関するものである。
【０００２】
【従来の技術】
従来から、電気冷蔵庫の下部の冷凍室やチルド室や野菜室などの引き出し式収納室において、内部の収納空間を各種ケースや仕切板等で区画することにより収納物を整理して収納できるようにしたものは知られている。
【０００３】
【発明が解決しようとする課題】
しかしながら、上記従来の収納空間を区画するケースや仕切板などは固定的に設置されるものであり、収納物の形状や大きさが変わった場合、特に大きな収納物を収納しようとした場合、設置したケースや仕切板等が邪魔になって収納できないことがあり、それらを取り外す必要があった。そのため、ケースや仕切板の着脱に手間がかかるとともに、取り外した後の保管も面倒であるなどの問題があった。
【０００４】
本発明は、上記従来の問題点に鑑み、収納物の形状や大きさが変わった場合に簡単に対処できて使い勝手の良い冷蔵庫の収納装置を提供することを目的としている。
【０００５】
【課題を解決するための手段】
本発明の冷蔵庫の収納装置は、冷蔵庫の収納室内における所定の収納空間を区画してその収納空間に収納された収納物を支持する支持部材を、所定の収納空間を区画する支持位置と収納室の壁面に沿う退避位置との間で回転可能に配設したものであって、前記収容室は、上面が開口し、側壁が上面側で広く傾斜形成された引き出し式であり、前記支持部材を、両端部をクランク状に屈曲したワイヤにて構成し、その両端部を前記収容室の前部で対向する側壁に設けた軸受部で回転自在に支持し、前記ワイヤの屈曲された部分が前記収容室の側壁傾斜面と平行になるように先広がりに傾斜形成したことを特徴とするものであり、収納空間に収納する収納物の大きさに応じて支持部材を支持位置と退避位置の間で簡単に切り換えることができ、収納空間のスペースを最大限に活用できて使い勝手を向上することができる。
【０００６】
しかも、支持部材を、両端部をクランク状に屈曲したワイヤにて構成しているため、樹脂成形品にて構成した場合に比して、小さな断面構造で高い剛性が得られるとともに変形や割れの発生がなく、耐久性と機能に対する高い信頼性を確保できる。
【０００７】
また、支持部材を支持位置で位置決めする手段を、支持部材の端部が係合して支持部材が支持位置を越えて回転するのを阻止する係合段部と、支持部材が支持位置にある状態で支持部材の端部に退避位置側から係合して支持部材が不測に退避位置側に回転するのを規制するとともに一定以上の力で支持部材を回転操作したときに係合が外れる規制突部とを設けた受け部材にて構成すると、支持部材を係合段部に係合するまで回転させるだけで支持部材を支持位置に位置決めすることができ、しかもその状態で支持部材が支持位置から不測に退避位置側に向けて回転することがなく、かつ支持部材を退避位置に向けて強制回転することもできるので使い勝手がよい。
【０００８】
また、支持部材を退避位置で位置決めする手段を、支持部材が退避位置にある状態で支持部材の端部に支持位置側から係合して支持部材が不測に支持位置側に回転するのを規制するとともに一定以上の力で支持部材を回転操作したときに係合が外れる係合突部を設けた止め部材にて構成すると、支持部材を退避位置に向けて回転させるだけで退避位置に保持されるとともに、支持部材を強制回転するだけで保持が解除されるので使い勝手がよくなる。
【０００９】
また、支持部材に、その長手方向に摺動可能にかつ支持部材の回転面と同一面上で回転可能に支持部材の長手方向に対して垂直方向に長い仕切具を装着すると、支持部材で区画された収納空間を仕切具にて任意の大きさにさらに区画することができ、収納空間内に収納した収納物を仕切具で支えることで横倒れを防止することができ、また仕切具が邪魔になる場合は支持部材の回りの任意の位置に回転することにより、邪魔にならないように位置させることができる。
【００１０】
また、仕切具を、支持部材に装着される保持部材と支持部材の長手方向に対して垂直な軸芯まわりに回転可能に保持部材に装着された扁平な仕切部材にて構成すると、扁平な仕切部材を水平姿勢にすることにより横方向の外力に対する強度及び撓み剛性を大きくでき、収納物の横倒れやがたつきを確実に防止でき、かつ使用しない場合には垂直姿勢にすることによってスペースを取らず、また収納物の間に隙間を生じてがたつきを生じるような場合にもその隙間に仕切部材を配置して両側の収納物に当接するまで回転することにより、ほぼ完全に隙間を埋めてがたつきの発生を無くすことができる。
【００１１】
また、保持部材に支持部材の長手方向に対して垂直に保持筒部を突設し、仕切部材の基部に保持筒部内に嵌合される結合軸部を突設し、保持筒部と結合軸部の間にその軸芯方向に係合する係合突部と係合溝から成る抜け止め手段を設けると、保持筒部に結合軸部を挿入嵌合させることによって保持部材に対して仕切部材を回転自在にかつ抜け出しを防止した状態で装着することができる。
【００１２】
また、保持筒部と結合軸部の嵌合部の少なくとも一部に静合に近い滑合状態の回転制動部を設けると、仕切部材を回転自在に支持しながらがたつきを防止でき、かつ意図しない姿勢に自然に回転するのを防止することができる。
【００１３】
また、仕切具の少なくとも一部を、収納空間内の色彩と異なる色彩とすると、庫内を開いた時の見栄えが良くなって外観品位が向上するとともに、収納物の収納状態を容易に認識でき、使い勝手が良くなる。
【００１４】
【発明の実施の形態】
以下、本発明の冷蔵庫の収納装置の一実施形態について図１〜図７を参照して説明する。
【００１５】
図１において、１は冷蔵庫本体、２は上部の冷蔵室、３、４は中間部の切替室と冷凍室、５は下部の野菜室であり、上部の冷蔵室２は前面ドア開閉式の収納室にて構成され、中間部及び下部の切替室３、冷凍室４及び野菜室５は引き出し式の収納室にて構成されている。本実施形態の収納装置は下部の野菜室５に適用されている。即ち、野菜室５は冷蔵庫本体１に対して引き出し・押し入れ自在な引き出しフレーム６に収納室としての野菜容器７を設置して構成されており、その野菜容器７の収納空間８の前部に、図２に示すように、その収納空間８を区画して収納物を倒れないように支持する支持部材１１及び仕切具３１が配設されている。なお、野菜容器７の収納空間８の後部の上部にはフルーツケース９が設置されている。
【００１６】
支持部材１１はワイヤから成り、収納空間８の略全幅にわたる長さの支持棒部１３の両端にクランク状に屈曲するクランク屈曲部１４を曲げ形成して構成されている。そして、図５（ａ）に詳細に示すように、クランク屈曲部１４の先端における支持棒部１３と平行な短軸部１５が、野菜容器７の両側壁７ｂの前端部近傍の中間高さ位置に内側に向けて突出形成された軸受部１６に嵌合されて回転自在に支持され、図２に実線と仮想線で示すように、支持部材１１が図３（ａ）に示す支持位置と図３（ｂ）に示す退避位置との間で回転できるように構成されている。なお、図５に示すように野菜容器７の側壁７ｂは野菜容器７の成形時の抜き勾配θだけ上広がりに傾斜形成されており、支持部材１１のクランク屈曲部１４もこの側壁７ｂと平行となるように支持棒部１３側に向けて先広がりに傾斜形成されている。
【００１７】
支持部材１１が図３（ａ）の支持位置にある状態では、支持部材１１の支持棒部１３が野菜容器７の前壁７ａから所定距離後方の中間高さ位置に位置し、この支持棒部１３にて収納空間８の前部に所定の収納空間１８が区画されている。そして、この収納空間１８内に瓶類や立てた状態で収納した方が望ましい野菜などの縦長収納物１７を収納することにより支持棒部１３にて縦長収納物１７が支持されてその倒れが防止される。
【００１８】
一方、支持部材１１が図３（ｂ）の退避位置にある状態では、支持棒部１３が野菜容器７の前壁７ａに近接して沿うように退避しており、上記収納空間１８の部分を含めて野菜容器７の収納空間８の大きな部分を占めて収納する必要のあるスイカなどの大型収納物１９を収納する際に支持部材１１が邪魔になることがない。
【００１９】
このように収納空間８に収納する収納物の大きさに応じて支持部材１１を軸受部１６回りに回転させることで、その支持棒部１３を支持位置と退避位置の間で簡単に切り換えることができるため、収納空間８のスペースを最大限に活用できて使い勝手を向上することができる。
【００２０】
次に、以上のように支持部材１１を支持位置と退避位置に位置決めする手段を図４、図５を参照して説明する。野菜容器７の側壁７ｂには、その前端上部に支持部材１１を退避位置に位置決めする止め部材２１が配設され、軸受部１６と約同じ高さ位置でかつ適当距離後方位置に支持部材１１を支持位置に位置決めする受け部材２２が配設されている。
【００２１】
止め部材２１には、支持部材１１が退避位置にある状態でそのクランク屈曲部１４に支持位置側から係合する係合突部２３が設けられ、支持部材１１が退避位置に位置してクランク屈曲部１４がこの係合突部２３に係合することにより、支持部材１１が不測に支持位置側に回転するのを規制するとともに一定以上の力で支持部材１１を回転操作したときに係合が外れるように構成されている。
【００２２】
受け部材２１には、支持部材１１のクランク屈曲部１４が係合して支持部材１１が支持位置を越えて回転するのを阻止する係合段部２４と、支持部材１１が支持位置にある状態でクランク屈曲部１４に退避位置側から係合して支持部材１１が不測に退避位置側に回転するのを規制するとともに一定以上の力で支持部材１１を回転操作したときに係合が外れる規制突部２５とが設けられている。
【００２３】
このように支持部材１１を止め部材２１と受け部材２２にてそれぞれ退避位置と支持位置に位置決めするようにしているので、支持部材１１を退避位置に向けて回転させるだけで係合突部２３に係合して退避位置に保持されるとともに、支持部材１１を支持位置に向けて強制回転するだけでその保持が解除され、また支持部材１１を係合段部２４に係合するまで回転させるだけで支持部材１１を支持位置に位置決めすることができ、しかもその状態で支持部材１１が支持位置から不測に退避位置側に向けて回転することがなくかつ支持部材１１を退避位置に向けて強制回転することもでき、使い勝手がよい。
【００２４】
また、本実施形態では支持部材１１に仕切具３１が、支持部材１１の支持棒部１３の長手方向に摺動可能にかつ支持部材１１の回転面と同一面上で回転可能に装着されている。かくして、支持部材１１で区画された収納空間１８を仕切具３１にて任意の大きさにさらに区画することができ、収納空間１８内に収納した縦長収納物１７を仕切具３１で支えることで横倒れを防止することができる。また、仕切具３１が邪魔になる場合は支持部材１１の回りの任意の位置に回転することにより、邪魔にならないように位置させることができる。
【００２５】
次に、仕切具３１の詳細を図６、図７を参照して説明する。仕切具３１は、細長い扁平な仕切部材３２と、支持棒部１３に嵌着する保持部材３３とから成っている。保持部材３３はポリプロピレン樹脂成形品から成り、支持棒部１３に一側から圧入嵌合する断面略Ｃ字状の嵌着部３４とその中央部から垂直方向に突設された保持筒部３５とを備えている。保持筒部３５内周の軸芯方向中間部には係合突部３６が突設されている。仕切部材３２は、ＡＢＳ樹脂の射出成形品から成り、その基端からは保持筒部３５内に挿入されて回転自在に嵌合する結合軸部３７が突設されている。結合軸部３７の先端には先細部３８が、中間部には係合突部３６が嵌入係合する係合溝３９が、基端部には保持筒部３５の先端部内周に静合に近い滑合状態で嵌合する回転制動部４０が形成されている。
【００２６】
上記保持筒部３５と回転制動部４０の間の静合に近い滑合状態は、例えば保持筒部３５の内径が５ｍｍの場合に回転制動部４０の外径を０．１ｍｍ程度大きくすることによって実現されている。また、係合突部３６と係合溝３９の係合は、結合軸部の先端部３８の最大外径４ｍｍに対して係合突部３６の内径を０．４ｍｍ程度小さく設定することによって、圧入嵌合可能でかつ確実に抜け出しを防止できるように設定されている。さらに、上記のような径差があっても容易に圧入嵌合するために、仕切具３１の製造時に、弾性のあるポリプロピレン樹脂製の保持部材３３を成形した直後の完全に凝固収縮及び硬化する前の状態で、その保持筒部３５に予め成形された仕切部材３２の結合軸部５７を圧入している。
【００２７】
又、仕切具３１の全体又は仕切部材３２と保持部材３３の一方が、通常白色である野菜容器７内の色彩と異なる暖色系の色やパステルカラーとされている。
【００２８】
本実施形態の仕切具３１によれば、図６（ａ）に示すように扁平な仕切部材３２を水平姿勢にすることにより横方向の外力に対する強度及び撓み剛性を大きくでき、重くて背の高い収納物１７であっても横倒れやがたつきを確実に防止できる。また、使用しない場合には、図６（ｂ）に示すように仕切部材３２を垂直姿勢にすることによってスペースを取らず、収納量が低下することはなく、さらに収納物１７、１７間に隙間を生じてがたつきを生じるような場合にもその隙間に仕切部材３２を配置して両側の収納物１７に当接するまで回転することにより、ほぼ完全に隙間を埋めてがたつきの発生を無くすことができる等の効果を発揮する。
【００２９】
また、保持筒部３５と結合軸部３７の嵌合部に静合に近い滑合状態の回転制動部４０を設けているので、仕切部材３２を回転自在に支持しながらがたつきを防止できるとともに仕切部材３２が意図しない姿勢に自然に回転するのを防止することができる。
【００３０】
さらに、仕切部材３２と保持部材３３の少なくとも一方を冷蔵室２内の色彩と異なる色彩にしているので、野菜室７を開いたときの野菜容器７内の見栄えが良くなって外観品位が向上するとともに、収納物の収納状態を容易に認識でき、使い勝手が良くなる。
【００３１】
なお、上記実施形態では支持部材１１をワイヤを曲げ成形して構成したが、樹脂成形品等で構成してもよい。しかし、ワイヤで構成すると、樹脂成形品にて構成した場合に比して、小さな断面構造で高い剛性が得られるとともに変形や割れの発生がなく、耐久性と機能に対する高い信頼性を確保できる。
【００３２】
また、上記実施形態では支持部材１１を支持位置と退避位置の２位置でのみ位置決めするように構成したが、野菜容器７の側壁７ｂのクランク屈曲部１４の移動経路部分にクランク屈曲部１４を両側から挟持するように１又は複数対の係合突部２３を配設して支持部材１１を支持位置と退避位置の間の中間位置でも位置決めするようにしてもよい。
【００３３】
また、上記実施形態では野菜室の例を説明したが、本発明はその他の収納室にも同様に適用することができ、その場合も同様の作用・効果を発揮することは説明するまでもない。
【００３４】
【発明の効果】
本発明の冷蔵庫の収納装置によれば、以上の説明から明らかなように、所定の収納空間に収納された収納物を支持する支持部材を、所定の収納空間を区画する支持位置と収納室の壁面に沿う退避位置との間で回転可能に配設したので、収納空間に収納する収納物の大きさに応じて支持部材を支持位置と退避位置の間で簡単に切り換えることができ、収納空間のスペースを最大限に活用できて使い勝手を向上することができる。
【００３５】
また、支持部材を両端部をクランク状に屈曲したワイヤにて構成すると、樹脂成形品にて構成した場合に比して、小さな断面構造で高い剛性が得られるとともに変形や割れの発生がなく、耐久性と機能に対する高い信頼性を確保できる。
【００３６】
また、支持部材が支持位置を越えて回転するのを阻止する係合段部と、支持部材が支持位置から退避位置側に不測に回転するのを規制するとともに一定以上の力で回転操作できる規制突部とを設けた受け部材にて支持位置での位置決め手段を構成すると、支持部材の支持位置への位置決めが容易でかつ不測に退避位置側に回転するのを防止しながら簡単に退避位置に回転させることができて使い勝手を良くすることができる。
【００３７】
また、支持部材が退避位置にある状態で不測に支持位置側に回転するのを規制するとともに一定以上の力で回転操作できる係合突部を設けた止め部材にて退避位置での位置決め手段を構成すると、支持部材を退避位置に保持できるとともに簡単に支持位置に回転させることができて使い勝手をよくすることができる。
【００３８】
また、支持部材にその長手方向に摺動可能でかつその回りに回転可能な仕切具を装着すると、仕切具にて収納空間内に収納した収納物を支えることで横倒れを防止することができ、かつ仕切具が邪魔になる場合は支持部材の回りの任意の位置に回転することにより、邪魔にならないように位置させることができる。
【００３９】
また、支持部材に装着される保持部材と保持部材に回転可能に装着された扁平な仕切部材にて仕切具を構成すると、扁平な仕切部材を水平姿勢にすることにより横方向の外力に対する強度及び撓み剛性を大きくでき、収納物の横倒れやがたつきを確実に防止でき、かつ使用しない場合には垂直姿勢にすることによってスペースを取らず、また収納物の間に隙間を生じてがたつきを生じるような場合にもその隙間に仕切部材を配置して両側の収納物に当接するまで回転することにより、ほぼ完全に隙間を埋めてがたつきの発生を無くすことができる。
【００４０】
また、保持部材に支持部材の長手方向に対して垂直に保持筒部を突設し、仕切部材の基部に保持筒部内に嵌合される結合軸部を突設し、保持筒部と結合軸部の間にその軸芯方向に係合する係合突部と係合溝から成る抜け止め手段を設けると、保持筒部に結合軸部を挿入嵌合させることによって保持部材に対して仕切部材を回転自在にかつ抜け出しを防止した状態で装着することができる。
【００４１】
また、保持筒部と結合軸部の嵌合部の少なくとも一部に静合に近い滑合状態の回転制動部を設けると、仕切部材を回転自在に支持しながらがたつきを防止でき、かつ意図しない姿勢に自然に回転するのを防止することができる。
【００４２】
また、仕切具の少なくとも一部を、収納空間内の色彩と異なる色彩とすると、庫内を開いた時の見栄えが良くなって外観品位が向上するとともに、収納物の収納状態を容易に認識でき、使い勝手が良くなる。
【図面の簡単な説明】
【図１】本発明の冷蔵庫の収納装置を適用した電気冷蔵庫の一実施形態の全体斜視図である。
【図２】同実施形態における野菜容器の斜視図である。
【図３】同実施形態における支持部材の作用を示し、（ａ）は支持部材が支持位置にある状態の説明図、（ｂ）は支持部材が退避位置にある状態の説明図である。
【図４】同実施形態における支持部材の位置決め手段を示し、（ａ）は退避位置での位置決め状態を示す斜視図、（ｂ）は支持位置での位置決め状態を示す斜視図である。
【図５】同実施形態における支持部材の位置決め手段を示し、（ａ）は退避位置での位置決め状態を示す縦断面図、（ｂ）は支持位置での位置決め状態を示す縦断面図である。
【図６】同実施形態の仕切具の２つの動作状態を示す斜視図である。
【図７】同実施形態の仕切具の構成を示し、（ａ）は横断平面図、（ｂ）は縦断正面図である。
【符号の説明】
１  冷蔵庫本体
５  野菜室
７  野菜容器（収納室）
１１  支持部材
１４  クランク屈曲部
１６  軸受部
１８  収納空間
２１  止め部材
２２  受け部材
２３  係合突部
２４  係合段部
２５  規制突部
３１  仕切具
３２  仕切部材
３３  保持部材
３５  保持筒部
３６  係合突部
３７  結合軸部
３９  係合溝
４０  回転制動部
【図１】
0004060399.tif 000002
【図２】
0004060399.tif 000003
【図３】
0004060399.tif 000004
【図４】
0004060399.tif 000005
【図５】
0004060399.tif 000006
【図６】
0004060399.tif 000007
【図７】
0004060399.tif 000008